(57)【要約】【課題】  利便性を向上することができる画像形成システムを提供する。【解決手段】  ＭＦＰは、画像形成システムにサービスを実行させる操作が入力される操作画面がキオスク端末のタッチパネルに表示されている場合に、ＭＦＰのタッチパネルに操作画面を表示させる操作がＭＦＰのタッチパネルに入力されたとき、キオスク端末のタッチパネルへの操作画面の表示をキオスク端末に終了させた（Ｓ５５およびＳ５７）後、ＭＦＰのタッチパネルに操作画面を表示し（Ｓ５８）、キオスク端末は、ＭＦＰのタッチパネルに操作画面が表示されている場合に、キオスク端末のタッチパネルに操作画面を表示させる操作がキオスク端末のタッチパネルに入力されたとき、ＭＦＰのタッチパネルへの操作画面の表示をＭＦＰに終了させた後、キオスク端末のタッチパネルに操作画面を表示することを特徴とする。【選択図】  図８
2020022037.tif 000002
【特許請求の範囲】
【請求項１】
タッチパネルを備える画像形成装置と、
タッチパネルを備え、前記画像形成装置に接続されて前記画像形成装置の機能を補強する機能補強装置と
を備える画像形成システムであって、
前記画像形成装置は、前記画像形成システムにサービスを実行させる操作が入力される操作画面が前記機能補強装置の前記タッチパネルに表示されている場合に、前記画像形成装置の前記タッチパネルに前記操作画面を表示させる操作が前記画像形成装置の前記タッチパネルに入力されたとき、前記機能補強装置の前記タッチパネルへの前記操作画面の表示を前記機能補強装置に終了させた後、前記画像形成装置の前記タッチパネルに前記操作画面を表示し、
前記機能補強装置は、前記画像形成装置の前記タッチパネルに前記操作画面が表示されている場合に、前記機能補強装置の前記タッチパネルに前記操作画面を表示させる操作が前記機能補強装置の前記タッチパネルに入力されたとき、前記画像形成装置の前記タッチパネルへの前記操作画面の表示を前記画像形成装置に終了させた後、前記機能補強装置の前記タッチパネルに前記操作画面を表示することを特徴とする画像形成システム。
【請求項２】
前記画像形成装置は、前記機能補強装置の前記タッチパネルに前記操作画面が表示されている場合に、前記画像形成装置の前記タッチパネルに前記操作画面を表示させる操作が前記画像形成装置の前記タッチパネルに入力されたときであっても、前記機能補強装置の前記タッチパネルに表示されている前記操作画面に対する操作が前記機能補強装置の前記タッチパネルに入力されているとき、前記機能補強装置の前記タッチパネルへの前記操作画面の表示を前記機能補強装置に終了させず、前記画像形成装置の前記タッチパネルに前記操作画面を表示せず、
前記機能補強装置は、前記画像形成装置の前記タッチパネルに前記操作画面が表示されている場合に、前記機能補強装置の前記タッチパネルに前記操作画面を表示させる操作が前記機能補強装置の前記タッチパネルに入力されたときであっても、前記画像形成装置の前記タッチパネルに表示されている前記操作画面に対する操作が前記画像形成装置の前記タッチパネルに入力されているとき、前記画像形成装置の前記タッチパネルへの前記操作画面の表示を前記画像形成装置に終了させず、前記機能補強装置の前記タッチパネルに前記操作画面を表示しないことを特徴とする請求項１に記載の画像形成システム。
【請求項３】
前記機能補強装置は、前記画像形成装置の近傍に配置されていて、
前記機能補強装置の前記タッチパネルは、前記画像形成装置の前記タッチパネルより高い位置に配置されていることを特徴とする請求項１または請求項２に記載の画像形成システム。
【請求項４】
前記画像形成装置は、前記画像形成装置の前記タッチパネルに前記操作画面が表示されている場合に、前記画像形成装置の前記タッチパネルに表示されている前記操作画面に対する操作が特定の連続した時間以上、前記画像形成装置の前記タッチパネルに入力されなかったとき、前記画像形成装置の前記タッチパネルへの前記操作画面の表示を終了した後、前記機能補強装置の前記タッチパネルへ前記操作画面を前記機能補強装置に表示させることを特徴とする請求項３に記載の画像形成システム。
【発明の詳細な説明】
【技術分野】
【０００１】
本発明は、画像形成装置を備える画像形成システムに関する。
【背景技術】
【０００２】
従来の画像形成システムとして、表示デバイスを備える画像形成装置と、表示デバイスを備える端末装置とを備えるものが知られている（例えば、特許文献１、２参照。）。
【先行技術文献】
【特許文献】
【０００３】
【特許文献１】特開２００９−０６０３５６号公報
【特許文献２】特開２０１３−００８２７９号公報
【発明の概要】
【発明が解決しようとする課題】
【０００４】
しかしながら、従来の画像形成システムにおいては、画像形成装置の表示デバイスに表示されている画面と、端末装置の表示デバイスに表示されている画面とのいずれからでも画像形成装置を操作可能であるタイミングが存在するので、画像形成装置のタッチパネルに表示されている画面と、端末装置のタッチパネルに表示されている画面とを介して、画像形成装置に対する操作が、互いに無関係な複数の利用者によって同時に実行される可能性があり、利便性が悪いという問題がある。
【０００５】
そこで、本発明は、利便性を向上することができる画像形成システムを提供することを目的とする。
【課題を解決するための手段】
【０００６】
本発明の画像形成システムは、タッチパネルを備える画像形成装置と、タッチパネルを備え、前記画像形成装置に接続されて前記画像形成装置の機能を補強する機能補強装置とを備える画像形成システムであって、前記画像形成装置は、前記画像形成システムにサービスを実行させる操作が入力される操作画面が前記機能補強装置の前記タッチパネルに表示されている場合に、前記画像形成装置の前記タッチパネルに前記操作画面を表示させる操作が前記画像形成装置の前記タッチパネルに入力されたとき、前記機能補強装置の前記タッチパネルへの前記操作画面の表示を前記機能補強装置に終了させた後、前記画像形成装置の前記タッチパネルに前記操作画面を表示し、前記機能補強装置は、前記画像形成装置の前記タッチパネルに前記操作画面が表示されている場合に、前記機能補強装置の前記タッチパネルに前記操作画面を表示させる操作が前記機能補強装置の前記タッチパネルに入力されたとき、前記画像形成装置の前記タッチパネルへの前記操作画面の表示を前記画像形成装置に終了させた後、前記機能補強装置の前記タッチパネルに前記操作画面を表示することを特徴とする。
【０００７】
この構成により、本発明の画像形成システムは、画像形成システムにサービスを実行させる操作が入力される操作画面を画像形成装置のタッチパネルおよび機能補強装置のタッチパネルの両方に同時に表示させないので、画像形成装置のタッチパネルに表示される操作画面と、機能補強装置のタッチパネルに表示される操作画面とを介して、画像形成システムに対する操作が、互いに無関係な複数の利用者によって同時に実行されることを防止することができる。したがって、本発明の画像形成システムは、利便性を向上することができる。
【０００８】
本発明の画像形成システムにおいて、前記画像形成装置は、前記機能補強装置の前記タッチパネルに前記操作画面が表示されている場合に、前記画像形成装置の前記タッチパネルに前記操作画面を表示させる操作が前記画像形成装置の前記タッチパネルに入力されたときであっても、前記機能補強装置の前記タッチパネルに表示されている前記操作画面に対する操作が前記機能補強装置の前記タッチパネルに入力されているとき、前記機能補強装置の前記タッチパネルへの前記操作画面の表示を前記機能補強装置に終了させず、前記画像形成装置の前記タッチパネルに前記操作画面を表示せず、前記機能補強装置は、前記画像形成装置の前記タッチパネルに前記操作画面が表示されている場合に、前記機能補強装置の前記タッチパネルに前記操作画面を表示させる操作が前記機能補強装置の前記タッチパネルに入力されたときであっても、前記画像形成装置の前記タッチパネルに表示されている前記操作画面に対する操作が前記画像形成装置の前記タッチパネルに入力されているとき、前記画像形成装置の前記タッチパネルへの前記操作画面の表示を前記画像形成装置に終了させず、前記機能補強装置の前記タッチパネルに前記操作画面を表示しなくても良い。
【０００９】
この構成により、本発明の画像形成システムは、機能補強装置のタッチパネルに表示されている操作画面に対する操作が入力されている場合に、機能補強装置のタッチパネルへの操作画面の表示を機能補強装置に終了させず、画像形成装置のタッチパネルに表示されている操作画面に対する操作が入力されている場合に、画像形成装置のタッチパネルへの操作画面の表示を画像形成装置に終了させないので、操作画面に対する操作の入力中に操作画面の表示が終了することを防止することができ、利便性を向上することができる。
【００１０】
本発明の画像形成システムにおいて、前記機能補強装置は、前記画像形成装置の近傍に配置されていて、前記機能補強装置の前記タッチパネルは、前記画像形成装置の前記タッチパネルより高い位置に配置されていても良い。
【００１１】
この構成により、本発明の画像形成システムは、標準的な身長の大人の健常者に対しては、画像形成装置のタッチパネルより高い位置に配置されている機能補強装置のタッチパネルに表示される操作画面を提供することができるとともに、子供などの低身長の人や、車椅子に座っている人など、標準的な身長の大人の健常者より操作に適した位置が低い人に対しては、機能補強装置のタッチパネルより低い位置に配置されている画像形成装置のタッチパネルに表示される操作画面を提供することができるので、利便性を向上することができる。
【００１２】
本発明の画像形成システムにおいて、前記画像形成装置は、前記画像形成装置の前記タッチパネルに前記操作画面が表示されている場合に、前記画像形成装置の前記タッチパネルに表示されている前記操作画面に対する操作が特定の連続した時間以上、前記画像形成装置の前記タッチパネルに入力されなかったとき、前記画像形成装置の前記タッチパネルへの前記操作画面の表示を終了した後、前記機能補強装置の前記タッチパネルへ前記操作画面を前記機能補強装置に表示させても良い。
【００１３】
この構成により、本発明の画像形成システムは、画像形成装置のタッチパネルに表示されている操作画面に対する操作が特定の連続した時間以上入力されなかった場合に、画像形成装置のタッチパネルより高い位置に配置されている機能補強装置のタッチパネルへ操作画面を表示するので、標準的な身長の大人の健常者によって利用される可能性が最も高い場合の利便性を向上することができる。
【発明の効果】
【００１４】
本発明の画像形成システムは、利便性を向上することができる。
【図面の簡単な説明】
【００１５】
【図１】本発明の一実施の形態に係るマルチコピー機の外観斜視図である。
【図２】図１に示すマルチコピー機の正面図である。
【図３】図１に示すＭＦＰのブロック図である。
【図４】図１に示すキオスク端末の側面図である。
【図５】図１に示すキオスク端末のブロック図である。
【図６】図１に示すタッチパネルに表示される操作画面の一例を示す図である。
【図７】図３に示すタッチパネルに表示されるキオスク端末操作指示画面の一例を示す図である。
【図８】キオスク端末のタッチパネルに操作画面が表示されている場合にＭＦＰのタッチパネルの画面が触られたときの図１に示すマルチコピー機の動作のシーケンス図である。
【図９】図５に示すタッチパネルに表示されるＭＦＰ操作指示画面の一例を示す図である。
【図１０】ＭＦＰのタッチパネルに操作画面が表示されている場合にキオスク端末のタッチパネルの画面が触られたときの図１に示すマルチコピー機の動作のシーケンス図である。
【図１１】ＭＦＰのタッチパネルに操作画面が表示されている場合に操作画面が特定の連続した時間以上、操作されなかったときの図１に示すマルチコピー機の動作のシーケンス図である。
【図１２】図１に示すＭＦＰのうちタッチパネルの近傍の部分の外観斜視図である。
【発明を実施するための形態】
【００１６】
以下、本発明の実施の形態について、図面を用いて説明する。
【００１７】
まず、本発明の一実施の形態に係る画像形成システムとしてのマルチコピー機の構成について説明する。
【００１８】
図１は、本実施の形態に係るマルチコピー機１０の外観斜視図である。図２は、マルチコピー機１０の正面図である。
【００１９】
図１および図２に示すように、マルチコピー機１０は、画像形成装置としてのＭＦＰ（Ｍｕｌｔｉｆｕｎｃｔｉｏｎ  Ｐｅｒｉｐｈｅｒａｌ）２０と、ＭＦＰ２０に接続されてＭＦＰ２０の機能を補強する機能補強装置としてのキオスク端末３０とを備えている。キオスク端末３０は、ＭＦＰ２０の近傍、すなわち、ＭＦＰ２０の横に配置されている。マルチコピー機１０は、例えば、コンビニエンスストアなどの小売業の店舗などに設置される。
【００２０】
図３は、ＭＦＰ２０のブロック図である。
【００２１】
図１〜図３に示すように、ＭＦＰ２０は、種々の操作が入力される例えばボタンなどの操作デバイスである操作部２１と、種々の情報を表示するとともに種々の操作が入力されるタッチパネル２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部２６と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２７と、ＭＦＰ２０全体を制御する制御部２８とを備えている。ＭＦＰ２０の高さは、例えば、１０８２ｍｍである。
【００２２】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部２８のＣＰＵの作業領域として用いられるメモリーとしてのＲＡＭ（Ｒａｎｄｏｍ  Ａｃｃｅｓｓ  Ｍｅｍｏｒｙ）とを備えている。制御部２８のＣＰＵは、記憶部２７または制御部２８のＲＯＭに記憶されているプログラムを実行する。
【００２３】
図４は、キオスク端末３０の側面図である。図５は、キオスク端末３０のブロック図である。
【００２４】
図１、図２、図４および図５に示すように、キオスク端末３０は、種々の情報を表示するとともに種々の操作が入力されるタッチパネル３１と、写真を印刷する印刷デバイスである写真プリンター３２と、ＵＳＢ（Ｕｎｉｖｅｒｓａｌ  Ｓｅｒｉａｌ  Ｂｕｓ）メモリーなどの外部の記憶媒体と通信を行うメディアカードリーダー３３と、マルチコピー機１０の利用料金を徴収する料金徴収装置３４と、料金徴収装置３４によって徴収した利用料金のレシートを印刷する印刷デバイスであるレシートプリンター３５と、ＬＡＮ、インターネットなどのネットワーク経由で、または、ネットワークを介さずに有線または無線によって直接に、外部の装置と通信を行う通信デバイスである通信部３６と、各種の情報を記憶する例えば半導体メモリー、ＨＤＤなどの不揮発性の記憶デバイスである記憶部３７と、キオスク端末３０全体を制御する制御部３８とを備えている。キオスク端末３０の高さは、例えば、１３０６ｍｍである。
【００２５】
キオスク端末３０のタッチパネル３１の画面は、ＭＦＰ２０のタッチパネル２２の画面より大きい。
【００２６】
写真プリンター３２は、印刷した写真が取り出される写真取り出し口３２ａを備えている。
【００２７】
料金徴収装置３４は、硬貨が投入される硬貨投入口３４ａと、硬貨が返却される硬貨返却口３４ｂとを備えている。
【００２８】
レシートプリンター３５は、印刷したレシートが取り出されるレシート取り出し口３５ａを備えている。
【００２９】
制御部３８は、例えば、ＣＰＵと、プログラムおよび各種のデータを記憶しているＲＯＭと、制御部３８のＣＰＵの作業領域として用いられるメモリーとしてのＲＡＭとを備えている。制御部３８のＣＰＵは、記憶部３７または制御部３８のＲＯＭに記憶されているプログラムを実行する。
【００３０】
図１に示すマルチコピー機１０は、タッチパネル２２またはタッチパネル３１からの操作に応じて様々なサービスを提供することができる。例えば、マルチコピー機１０は、スキャナー２４（図３参照。）によって原稿から読み取った画像をプリンター２３（図３参照。）によって印刷する「コピー」のサービス、スキャナー２４によって原稿から読み取った画像をファックス通信部２５（図３参照。）によってファックス送信する「ファックス」のサービス、スキャナー２４によって原稿から読み取った画像をメディアカードリーダー３３（図５参照。）を介してＵＳＢメモリーなどの外部の記憶媒体に保存する「スキャン」のサービス、図示していない外部のデータ管理システムによって管理されているデータを通信部３６（図５参照。）および通信部２６（図３参照。）経由で受信して、受信したデータに基づいてプリンター２３または写真プリンター３２（図５参照。）によって印刷を実行する「ネットワークプリント」のサービス、メディアカードリーダー３３を介してＵＳＢメモリーなどの外部の記憶媒体から取得した、または、通信部２６および通信部３６の少なくとも一方によって外部から無線通信で取得した文書データに基づいてプリンター２３によって文書を印刷する「文書プリント」のサービス、メディアカードリーダー３３を介してＵＳＢメモリーなどの外部の記憶媒体から取得した、または、通信部２６および通信部３６の少なくとも一方によって外部から無線通信で取得した画像データに基づいて写真プリンター３２によって写真を印刷する「写真プリント」のサービス、図示していない外部のコンテンツ提供システムから提供されるコンテンツをプリンター２３または写真プリンター３２によって印刷する「コンテンツプリント」のサービスなどが含まれる。
【００３１】
次に、マルチコピー機１０の動作について説明する。
【００３２】
まず、キオスク端末３０のタッチパネル３１に操作画面４１（図６参照。）が表示されている場合に操作画面４１が操作されたときのマルチコピー機１０の動作について説明する。
【００３３】
マルチコピー機１０は、通常時、マルチコピー機１０に様々なサービスを実行させる操作が入力される操作画面４１がキオスク端末３０のタッチパネル３１に表示されており、キオスク端末３０のタッチパネル３１での操作を促すためのキオスク端末操作指示画面４２（図７参照。）がＭＦＰ２０のタッチパネル２２に表示されている。すなわち、キオスク端末３０のタッチパネル３１の画面がＭＦＰ２０のタッチパネル２２の画面より大きく操作がし易いので、マルチコピー機１０は、キオスク端末３０のタッチパネル３１に表示されている操作画面４１で通常時に操作されるように設計されている。
【００３４】
キオスク端末３０の制御部３８は、キオスク端末３０のタッチパネル３１に表示されている操作画面４１が操作されると、操作画面４１への操作に対応するサービスを実行する。ここで、キオスク端末３０の制御部３８は、操作画面４１への操作に対応するサービスがＭＦＰ２０を利用するサービスである場合、操作画面４１への操作に対応するサービスをＭＦＰ２０の制御部２８と協働して実行する。
【００３５】
次に、キオスク端末３０のタッチパネル３１に操作画面４１が表示されている場合にＭＦＰ２０のタッチパネル２２の画面が触られたときのマルチコピー機１０の動作について説明する。
【００３６】
図８は、キオスク端末３０のタッチパネル３１に操作画面４１が表示されている場合にＭＦＰ２０のタッチパネル２２の画面が触られたときのマルチコピー機１０の動作のシーケンス図である。
【００３７】
図８に示すように、ＭＦＰ２０の制御部２８は、キオスク端末３０の使用状況をキオスク端末３０に確認する（Ｓ５１）。ここで、キオスク端末３０の使用状況は、キオスク端末３０のタッチパネル３１の画面が触られている状況が「使用中」の状況であり、キオスク端末３０のタッチパネル３１の画面が触られていない状況が「未使用」の状況である。
【００３８】
キオスク端末３０の制御部３８は、Ｓ５１の確認を受けた場合に、キオスク端末３０のタッチパネル３１の画面が触られているとき、キオスク端末３０の使用状況として「使用中」をＭＦＰ２０に通知する（Ｓ５２）。
【００３９】
ＭＦＰ２０の制御部２８は、Ｓ５２の通知を受けると、「キオスク端末３０が使用中である」ということを示すメッセージをタッチパネル２２に表示する（Ｓ５３）。
【００４０】
キオスク端末３０の制御部３８は、Ｓ５１の確認を受けた場合に、キオスク端末３０のタッチパネル３１の画面が触られていないとき、キオスク端末３０の使用状況として「未使用」をＭＦＰ２０に通知する（Ｓ５４）。
【００４１】
ＭＦＰ２０の制御部２８は、Ｓ５４の通知を受けると、操作ＵＩ（Ｕｓｅｒ  Ｉｎｔｅｒｆａｃｅ）の切り替えをキオスク端末３０に指示する（Ｓ５５）。
【００４２】
キオスク端末３０の制御部３８は、Ｓ５５の指示を受けると、タッチパネル３１に表示する画面を、操作画面４１から、ＭＦＰ２０のタッチパネル２２での操作を促すためのＭＦＰ操作指示画面４３（図９参照。）に変更し（Ｓ５６）、操作ＵＩの切り替えの完了をＭＦＰ２０に通知する（Ｓ５７）。
【００４３】
ＭＦＰ２０の制御部２８は、Ｓ５７の通知を受けると、タッチパネル２２に表示する画面をキオスク端末操作指示画面４２から操作画面４１に変更する（Ｓ５８）。
【００４４】
次に、ＭＦＰ２０のタッチパネル２２に操作画面４１が表示されている場合に操作画面４１が操作されたときのマルチコピー機１０の動作について説明する。
【００４５】
ＭＦＰ２０の制御部２８は、ＭＦＰ２０のタッチパネル２２に表示されている操作画面４１が操作されると、操作画面４１への操作に対応するサービスを実行する。ここで、ＭＦＰ２０の制御部２８は、操作画面４１への操作に対応するサービスがキオスク端末３０を利用するサービスである場合、操作画面４１への操作に対応するサービスをキオスク端末３０の制御部３８と協働して実行する。
【００４６】
次に、ＭＦＰ２０のタッチパネル２２に操作画面４１が表示されている場合にキオスク端末３０のタッチパネル３１の画面が触られたときのマルチコピー機１０の動作について説明する。
【００４７】
図１０は、ＭＦＰ２０のタッチパネル２２に操作画面４１が表示されている場合にキオスク端末３０のタッチパネル３１の画面が触られたときのマルチコピー機１０の動作のシーケンス図である。
【００４８】
図１０に示すように、キオスク端末３０の制御部３８は、ＭＦＰ２０の使用状況をＭＦＰ２０に確認する（Ｓ７１）。ここで、ＭＦＰ２０の使用状況は、ＭＦＰ２０のタッチパネル２２の画面が触られている状況が「使用中」の状況であり、ＭＦＰ２０のタッチパネル２２の画面が触られていない状況が「未使用」の状況である。
【００４９】
ＭＦＰ２０の制御部２８は、Ｓ７１の確認を受けた場合に、ＭＦＰ２０のタッチパネル２２の画面が触られているとき、ＭＦＰ２０の使用状況として「使用中」をキオスク端末３０に通知する（Ｓ７２）。
【００５０】
キオスク端末３０の制御部３８は、Ｓ７２の通知を受けると、「ＭＦＰ２０が使用中である」ということを示すメッセージをタッチパネル３１に表示する（Ｓ７３）。
【００５１】
ＭＦＰ２０の制御部２８は、Ｓ７１の確認を受けた場合に、ＭＦＰ２０のタッチパネル２２の画面が触られていないとき、ＭＦＰ２０の使用状況として「未使用」をキオスク端末３０に通知する（Ｓ７４）。
【００５２】
キオスク端末３０の制御部３８は、Ｓ７４の通知を受けると、操作ＵＩの切り替えをＭＦＰ２０に指示する（Ｓ７５）。
【００５３】
ＭＦＰ２０の制御部２８は、Ｓ７５の指示を受けると、タッチパネル２２に表示する画面を操作画面４１からキオスク端末操作指示画面４２に変更し（Ｓ７６）、操作ＵＩの切り替えの完了をキオスク端末３０に通知する（Ｓ７７）。
【００５４】
キオスク端末３０の制御部３８は、Ｓ７７の通知を受けると、タッチパネル３１に表示する画面をＭＦＰ操作指示画面４３から操作画面４１に変更する（Ｓ７８）。
【００５５】
次に、ＭＦＰ２０のタッチパネル２２に操作画面４１が表示されている場合に操作画面４１が特定の連続した時間以上、操作されなかったときのマルチコピー機１０の動作について説明する。
【００５６】
図１１は、ＭＦＰ２０のタッチパネル２２に操作画面４１が表示されている場合に操作画面４１が特定の連続した時間以上、操作されなかったときのマルチコピー機１０の動作のシーケンス図である。
【００５７】
ＭＦＰ２０の制御部２８は、タッチパネル２２に操作画面４１が表示されている場合に操作画面４１が特定の連続した時間以上、操作されなかったとき、図１１に示す動作を実行する。
【００５８】
図１１に示すように、ＭＦＰ２０の制御部２８は、タッチパネル２２に表示する画面を操作画面４１からキオスク端末操作指示画面４２に変更し（Ｓ９１）、操作ＵＩの切り替えの完了をキオスク端末３０に通知する（Ｓ９２）。
【００５９】
キオスク端末３０の制御部３８は、Ｓ９２の通知を受けると、タッチパネル３１に表示する画面をＭＦＰ操作指示画面４３から操作画面４１に変更する（Ｓ９３）。
【００６０】
以上に説明したように、マルチコピー機１０は、マルチコピー機１０にサービスを実行させる操作が入力される操作画面４１をＭＦＰ２０のタッチパネル２２およびキオスク端末３０のタッチパネル３１の両方に同時に表示させないので、ＭＦＰ２０のタッチパネル２２に表示される操作画面４１と、キオスク端末３０のタッチパネル３１に表示される操作画面４１とを介して、マルチコピー機１０に対する操作が、互いに無関係な複数の利用者によって同時に実行されることを防止することができる。したがって、マルチコピー機１０は、利便性を向上することができる。
【００６１】
マルチコピー機１０は、キオスク端末３０のタッチパネル３１に表示されている操作画面４１に対する操作が入力されている場合（Ｓ５２）に、キオスク端末３０のタッチパネル３１への操作画面４１の表示をキオスク端末３０に終了させず、ＭＦＰ２０のタッチパネル２２に表示されている操作画面４１に対する操作が入力されている場合（Ｓ７２）に、ＭＦＰ２０のタッチパネル２２への操作画面４１の表示をＭＦＰ２０に終了させないので、操作画面４１に対する操作の入力中に操作画面４１の表示が終了することを防止することができ、利便性を向上することができる。
【００６２】
マルチコピー機１０は、標準的な身長の大人の健常者に対しては、ＭＦＰ２０のタッチパネル２２より高い位置に配置されているキオスク端末３０のタッチパネル３１に表示される操作画面４１を提供することができるとともに、子供などの低身長の人や、車椅子に座っている人など、標準的な身長の大人の健常者より操作に適した位置が低い人に対しては、キオスク端末３０のタッチパネル３１より低い位置に配置されているＭＦＰ２０のタッチパネル２２に表示される操作画面４１を提供することができるので、利便性を向上することができる。
【００６３】
特に、マルチコピー機１０は、図１２に示すように、ＭＦＰ２０のタッチパネル２２の角度を鉛直方向にすることができる場合、標準的な身長の大人の健常者より操作に適した位置が低い人の利便性を向上することができる。
【００６４】
マルチコピー機１０は、ＭＦＰ２０のタッチパネル２２に表示されている操作画面４１に対する操作が特定の連続した時間以上入力されなかった場合に、ＭＦＰ２０のタッチパネル２２より高い位置に配置されているキオスク端末３０のタッチパネル３１へ操作画面４１を表示する（Ｓ９３）ので、標準的な身長の大人の健常者によって利用される可能性が最も高い場合の利便性を向上することができる。
【００６５】
ＭＦＰ２０は、本実施の形態においてＭＦＰ操作指示画面４３をタッチパネル２２に表示するが、ＭＦＰ操作指示画面４３をタッチパネル２２に表示する代わりに、タッチパネル２２に何も表示させなくても良い。キオスク端末３０は、本実施の形態においてキオスク端末操作指示画面４２をタッチパネル３１に表示するが、キオスク端末操作指示画面４２をタッチパネル３１に表示する代わりに、タッチパネル３１に何も表示させなくても良い。
【００６６】
本発明の画像形成装置は、本実施の形態においてＭＦＰであるが、プリンター専用機、コピー専用機、ファックス専用機、スキャナー専用機など、ＭＦＰ以外の画像形成装置でも良い。
【符号の説明】
【００６７】
１０  マルチコピー機（画像形成システム）
２０  ＭＦＰ（画像形成装置）
２２  タッチパネル
３０  キオスク端末（機能補強装置）
３１  タッチパネル
４１  操作画面
【図１】
2020022037.tif 000003
【図２】
2020022037.tif 000004
【図３】
2020022037.tif 000005
【図４】
2020022037.tif 000006
【図５】
2020022037.tif 000007
【図６】
2020022037.tif 000008
【図７】
2020022037.tif 000009
【図８】
2020022037.tif 000010
【図９】
2020022037.tif 000011
【図１０】
2020022037.tif 000012
【図１１】
2020022037.tif 000013
【図１２】
2020022037.tif 000014